(57)【要約】【課題】片面に複数の記録層を備え、どの記録層においても精度の優れた記録再生が可能な情報記録媒体を提供すること。【解決手段】積層された複数の記録層（２１４、２１５）を有するディスク形状の情報記録媒体であって、各記録層が、複数の周回から成るスパイラルトラック（１４）と、スパイラルトラックの一部を遮断するようにディスクの半径方向にアラインされた少なくとも一つのインデックスヘッダ（１２）とを有し、インデックスヘッダは、エンボスピットにより記録された各トラックのアドレスデータを有し、各記録層のインデックスヘッダの一部もしくは全部が、光ビームの入射面から見て重なり合うように配置されている。【選択図】　　　図２
2004006050.tif 000002
【特許請求の範囲】
【請求項１】
　積層された複数の記録層を有するディスク形状の情報記録媒体であって、
　各記録層が、
　複数の周回から成るスパイラルトラックと、
　前記スパイラルトラックの一部を遮断するようにディスクの半径方向にアラインされた少なくとも一つのインデックスヘッダと、
　を有し、
　前記スパイラルトラックがウォブルを有し、
　前記スパイラルトラックに、複数の記録フィールドが記録され、
　各記録フィールドが、フォーマットにより書き換え可能なアドレスデータが記録されたヘッダーフィールド、及び目的のデータが記録されるデータフィールドを有し、
　前記インデックスヘッダは、エンボスピットにより記録された各トラックのアドレスデータを有し、
　前記インデックスヘッダと前記記録フィールドとの間に、ダミー領域を配置し、
　前記複数の記録層のうちの、第１の記録層における前記ダミー領域が、前記光ビームの入射面から見てこの第１の記録層より奥側の第２の記録層における前記ダミー領域よりも狭く、
　この情報記録媒体の一方の面から照射される光ビームを受けて、目的の記録層に設けられたスパイラルトラックに対するデータの記録、及び目的の記録層に設けられたスパイラルトラックに記録されたデータの再生が可能である、
　ことを特徴とする情報記録媒体。
【請求項２】
　前記光ビームの入射面から見て、最も奥側の記録層を除く他の記録層における前記ダミー領域が、この記録層における前記インデックスヘッダ及び前記所定のエンボスフィールドと等しい透過率及び反射率を有する、
　ことを特徴とする請求項１に記載の情報記録媒体。
【請求項３】
　前記ダミー領域は、スパイラルトラックもしくはエンボスピットで形成され、エンボスピットで形成された前記ダミー領域は、追加記録及び書き換え記録を禁止した領域である、
　ことを特徴とする請求項１に記載の情報記録媒体。
【請求項４】
　前記ダミー領域が、エンボスピットで形成されたトレーニングパターンを有する、
　ことを特徴とする請求項１に記載の情報記録媒体。
【発明の詳細な説明】
【技術分野】
【０００１】
　この発明は、データの記録再生が可能な光ディスクなどの情報記録媒体に関する。
【背景技術】
【０００２】
　情報記録媒体の一つとして、例えば相変化方式の書き換え型光ディスクが知られている。このような光ディスクに対して、光ビームを集光照射すると、この光ビームの光強度の変化に伴い、ディスク上に相変化マークが形成される。つまり、目的の記録データに対応させて、ディスクに対して照射する光ビームを制御することにより、ディスクに対して目的のデータを記録することができる。
【０００３】
　このような光ディスクからデータを再生する場合にも、光ディスクに対して光ビームを集光照射する。但し、記録時の光ビームのレーザパワーに比べて、所定レベル低いレーザパワーの光ビームが利用される。ディスクに対して光ビームが照射されると、これに伴いディスクからの反射光を得ることができる。この反射光には、ディスク上に形成された相変化マークの成分が含まれる。つまり、この反射光を検出して、ディスク上に相変化マークとして記録された目的のデータを再生することができる。
【０００４】
　続いて、ＤＶＤ-ＲＡＭとエンボスピットの規格とその利点について説明する。上記説明したように、任意の位置にデータを繰り返し記録し、かつ任意の位置のデータを再生できる書き換え型光ディスクが知られている。この光ディスクの一つとして、例えば、国際規格化された直径１２０ｍｍのＤＶＤ−ＲＡＭと称される書き換え型光ディスク（ＩＳＯ／ＩＥＣ１６８２４）がある。このＤＶＤ−ＲＡＭでは、トラッキングのために蛇行したグルーブ溝(以後この蛇行のことをウォブルと呼ぶ)とランドと呼ばれる平坦部が形成され、これらグルーブ溝と平坦部の両方にデータが記録される。
【０００５】
　また、この光ディスクには、予め、セクタ（物理セクタ）毎にアドレスデータが記録されている。アドレスデータは、ＣＡＰＡと呼ばれるエンボスピットにより記録されている。この光ディスクは、半径方向に複数のゾーンに分割され、各ゾーン内は一定の回転数で回転制御される。つまり、回転制御には、ＺＣＬＶ方式が採用されている。この方式では、あるゾーン内におけるトラック一周あたりのセクタ数は等しい。あるゾーンとこのゾーンの一つ外周側のゾーンとを比較すると、あるゾーンにおけるトラック１周あたりのセクタ数より、一つ外周側のゾーンにおけるトラック１周あたりのセクタ数の方が一つだけ多い。また、同一ゾーン内では、ＣＡＰＡが半径方向にアラインされている。この結果、目的のデータが記録される領域の半径方向にエンボスピットが配置されないので、エンボスピットの影響で記録再生が不安定になるのを防げる。但し、ゾーンが変わると（ゾーンを跨ぐと）、半径方向にアラインされたＣＡＰＡも途切れる。ゾーンの幅はＣＡＰＡのアラインとフォーマット効率の点から決定される。例えば、トラック一周あたりのセクタ数が増えない程度の範囲が、一つのゾーンの幅となる。
【０００６】
ＤＶＤ−ＲＡＭでは、このようにセクタ単位で物理アドレスが決まっていることから、ディスクの任意のアドレスへの記録が可能であり、また初期化無しでデータをいきなり記録することもできる。
【０００７】
　続いて、記録層の２層化について説明する。光ディスク１枚の記録容量を向上させる方法として、記録層を２層積層する方法が考えられる。これは再生専用光ディスクであるＤＶＤ−ＲＯＭで採用されている片面２層の手法を踏襲したものである。２つの記録層の間を透明層によって隔てて製作されたディスクに対して、光を同じ側から照射して、どちらか一方の目的の記録層に集束させることで目的の記録層に対してデータを記録したり、目的の記録層に記録されたデータを再生したりすることができる。
【発明の開示】
【発明が解決しようとする課題】
【０００８】
　ここで、記録層の２層化の問題について説明する。２層式のディスクでは、光ビームの入射方向から見て、奥側の記録層の記録再生時には、この記録再生のための光ビームが、手前側の記録層を透過することになる。手前側の記録層がＲＯＭタイプの記録層である場合には、あらかじめ光ディスクの全面にデータがエンボスピットで記録されている。このため、奥側の記録層への入射光及び奥側の記録層からの反射光が透過する手前側の記録層の透過率及び反射率は、ディスク全面で常にほぼ一定となる。これに対して、ＤＶＤ−ＲＡＭのような書き換え型のディスクでは（手前側の記録層がＲＡＭタイプの記録層である場合には）、エンボスピットによりデータが記録されたエンボス領域や、相変化によりデータが記録される相変化記録領域などが存在し、両領域において透過率及び反射率が異なる。さらに、相変化記録領域でも、非晶質状態の領域（記録済み領域）と結晶状態（未記録領域）の領域とで透過率及び反射率が異なる。このような違いから、以下のような不具合が生じる。
【０００９】
　１、手前側記録層に記録済み領域と未記録領域が混在する場合、手前側記録層を透過して奥側記録層へ到達する記録光の強度が、記録済み領域と未記録領域で変動するため、この記録光により奥側記録層に形成される記録間マークが不揃いになり、記録安定性が損なわれる。
【００１０】
　２、手前側記録層に記録済み領域と未記録領域が混在する場合、手前側記録層を透過して奥側記録層に到達し、奥側記録層で反射して再び手前側記録層を透過する再生光の強度が、記録済み領域と未記録領域で変動するために、再生信号に誤りが生じ易くなる。さらに、手前の記録層の反射率が変化することで再生信号にオフセットが生じるので、再生安定性が損なわれる。
【００１１】
　ＤＶＤ−ＲＡＭのＣＡＰＡのようなエンボスピットが記録された領域は、情報記録禁止領域であり、常に未記録状態となっている。また、基板の形状がＣＡＰＡの領域はエンボスであり、グルーブが形成された記録領域とは光の散乱など光学的条件が異なる。つまり、透過率も異なる。さらに、ＤＶＤ−ＲＡＭの場合、ＣＡＰＡの領域がセクタ単位で配置されているので、もっとも少ない最内周のゾーンでもトラック１周あたり２５ヵ所、最外周のゾーンではトラック１周あたり５９ヵ所も存在する。このような構成の記録層を、何の制約も無く貼り合わせて２層化した場合、記録再生安定性が損なわれることになる。
【００１２】
　続いて、フォーマット効率に対するＣＡＰＡにおける問題点について説明する。ＤＶＤ−ＲＡＭのようにセクタ単位でエンボスピットによりアドレスデータを記録する方法では、セクタ毎に、アドレスデータフィールド（ヘッダーフィールド）、バッファフィールド、ガードフィールドなどが必要となる。バッファフィールドは、ディスクの回転変動や回転時の偏心などで生じるディスク上での実際のセクタ長の変化に対応するためのフィールドである。ガードフィールドは、記録位置のランダムシフトや記録による始終端劣化に対応するためのフィールドである。このように、ＤＶＤ−ＲＡＭでは、目的のデータを記録するためのフィールド以外に様々なフィールドが必要となる。このことが、ＤＶＤ−ＲＡＭのフォーマット効率が、ＤＶＤ−ＲＯＭに比べて大幅に低下してしまう原因となっている。具体的に言うと、ＤＶＤ−ＲＡＭの記録容量はＤＶＤ−ＲＯＭの記憶容量に比べ約１０％も小さい。
【００１３】
　続いて、シームレス記録に対するＣＡＰＡにおける問題点について説明する。ＤＶＤ−ＲＡＭではＣＡＰＡをアラインするためにゾーンの幅が大きくなっており、ゾーン間で記録周波数が大きくジャンプする。このため、映像データなどの大量のデータを連続して記録しようとすると、ゾーン毎に記録周波数を切り替えるための時間が必要となる。これにより、転送レートの低下やシームレス記録が難しくなるなどの問題が生じる。
【００１４】
　続いて、トレーニングパターンの必要性と問題点について説明する。光ディスクにおける記録密度の高密度化、レンズの高ＮＡ化などに伴い、隣接トラックのクロストーク、符号間干渉、ディスクチルトなどの影響による再生信号の劣化が無視できなくなっている。これに対して、ディスク上の既知配列データであるトレーニングパターンを再生することにより、波形等化の条件を決定し、再生信号の劣化を補完する方法がある。また、この条件や既知データの再生情報そのものを利用してディスクのチルトを測定する方法がある。これらの方法では、ディスクにトレーニングパターンをあらかじめ記録しておく必要があるが、このトレーニングパターンを記録フィールドの一部に挿入することは、記憶容量の低下を招くことになる。さらに、記録フィールドの中にトレーニングパターンを配置した場合、記録再生の際にトレーニングパターンの位置を特定することが困難になるほか、連続記録の妨げになることもある。
【００１５】
　この発明の目的は、上記したような事情に鑑み成されたものであって、下記の情報記録媒体を提供することにある。
【００１６】
　（１）片面に複数の記録層を備え、どの記録層においても精度の優れた記録再生が可能な情報記録媒体。
【００１７】
　（２）記録効率に優れた情報記録媒体、特に、映像データのような大量の連続データのシームレスな記録、及びＰＣデータのようなＥＣＣブロック単位の小さなデータの任意位置への記録に優れた情報記録媒体。
【課題を解決するための手段】
【００１８】
　この発明の情報記録媒体は、積層された複数の記録層を有するディスク形状の情報記録媒体であって、
　各記録層が、複数の周回から成るスパイラルトラックと、前記スパイラルトラックの一部を遮断するようにディスクの半径方向にアラインされた少なくとも一つのインデックスヘッダと、を有し、
　前記スパイラルトラックがウォブルを有し、
　前記スパイラルトラックに、複数の記録フィールドが記録され、
　各記録フィールドが、フォーマットにより書き換え可能なアドレスデータが記録されたヘッダーフィールド、及び目的のデータが記録されるデータフィールドを有し、
　前記インデックスヘッダは、エンボスピットにより記録された各トラックのアドレスデータを有し、
　前記インデックスヘッダと前記記録フィールドとの間に、ダミー領域を配置し、
　前記複数の記録層のうちの、第１の記録層における前記ダミー領域が、前記光ビームの入射面から見てこの第１の記録層より奥側の第２の記録層における前記ダミー領域よりも狭く、
　この情報記録媒体の一方の面から照射される光ビームを受けて、目的の記録層に設けられたスパイラルトラックに対するデータの記録、及び目的の記録層に設けられたスパイラルトラックに記録されたデータの再生が可能である。
【発明の効果】
【００１９】
　この発明によれば、下記の情報記録媒体を提供できる。
【００２０】
　（１）片面に複数の記録層を備え、どの記録層においても精度の優れた記録再生が可能な情報記録媒体。
【００２１】
　（２）記録効率に優れた情報記録媒体、特に、映像データのような大量の連続データのシームレスな記録、及びＰＣデータのようなＥＣＣブロック単位の小さなデータの任意位置への記録に優れた情報記録媒体。
【発明を実施するための最良の形態】
【００２２】
　以下、この発明の実施の形態について図面を参照して説明する。
【００２３】
　図１は、この発明の一例に係る光ディスク（情報記録媒体）の概略構造を示す図である。光ディスク１０は、積層された複数の記録層を有する。光ディスク１０は、一方の面から照射される光ビームにより、任意に選択された目的の記録層に設けられたスパイラルトラックに対するデータが記録されたり、目的の記録層に設けられたスパイラルトラックに対して記録されたデータが再生されたりする。
【００２４】
　図２は、ダミー領域２０１を配置していない場合の光ディスクを、インデックスヘッダを跨いでトラックに沿って切り開いたときの断面図である。図３は、図２に示す光ディスクにおいて、第二記録層２１５に焦点を合わせた状態で、トラックに沿って光ビームを走査させたときの、第一記録層２１４の光の透過率変化を示す図である。図４は、図１に示す光ディスク１０を、インデックスヘッダを跨ぎトラックに沿って切り開いたときの断面図であり、ダミー領域２０１の配置を示す図である。図５は、図４の光ディスク１０において、第二記録層２１５に焦点を合わせた状態でトラックに沿って光ビームを走査させたときの配置、及び第一記録層２１４の光の透過率変化を示す図である。図６は、ダミー領域に関する別の例を示す図である。図７は、スパイラルトラックの構成を示す図である。図８は、インデックスヘッダ１２の構成を示す図である。図９は、記録フィールド１５の構成を示す図である。図１１は、記録フィールド１５とサブ記録フィールドの関係を示す図である。
【００２５】
　まず、二層ディスクの概要と記録再生の原理について説明する。
【００２６】
　図１に示す光ディスクは、ＤＶＤ−ＲＡＭと同じ相変化型の記録膜を二層積層した片面二層型構造を有する。下側の第一記録層２１４と、上側の第二記録層２１５の間には透明な中間層２１２が挿入されている。このような光ディスクに対して照射光２２２は下側から照射され、第一記録層２１４もしくは第二記録層２１５のどちらか任意に選択した一方の記録層に、対物レンズによって集光される。選択された記録層に対して強いレーザー光がパルス的に照射されると、光の強度の高い部分がアモルファス化され、それ以外の部分が結晶化されて、目的のデータが書きこまれる。この際、第二記録層２１５に焦点が合っていれば、第一記録層２１４におけるスポット２２３はデフォーカスされており、エネルギー密度が低いことから、光ビームが第一記録層２１４に、与える光学的及び熱的影響は無視できる。第一記録層２１４に焦点が合っている場合の、第二記録層２１５への影響も同様である。ただし、繰り返し述べているように、第二記録層２１５に焦点が合っている場合、第一記録層２１４の透過率の変化は、第二記録層２１５への記録および再生に多大な影響を与える。また、第一記録層２１４の反射率の変化は、第二記録層２１５の再生信号のオフセットに影響を与える。
【００２７】
　続いて、各記録層の構成について説明する。
【００２８】
　各記録層は、図１に示すように、リードインエリア２０３、リードアウトエリア２０４、情報の追加記録及び書き換え記録領域（以下、情報記録領域）、インデックスヘッダ１２、ダミー領域２０１を備えている。情報記録領域はグルーブ形状のグルーブトラック１３とランド形状のランドトラック１４が一周毎に交互に切り替わるスパイラルトラック（記録トラック）を備えている。そして、このスパイラルトラックを遮断するように、インデックスヘッダ１２はディスク半径方向にアラインされる。このインデックスヘッダ１２の片側もしくは両側と、リードインエリアのエンボスピット領域２０２の外側、及びリードアウトエリア２０４の外側にダミー領域２０１が配置されている。このダミー領域２０１は、透過率及び反射率の調整や、記録禁止のために用いられ、その範囲はディスクの積層の際の位置決め精度や、ビームスポットの広がり角などによって決定される。
【００２９】
　続いて、ウォブルの詳細について説明する。
【００３０】
　上記スパイラルトラックは、ウォブル信号によりウォブルが施されている。また、光ディスクの記録層は内周側から外周側に向けて径の異なるドーナツ上のゾーンが複数規定されている。これら各ゾーンには所定周回数のトラックが含まれる。所定のゾーンに含まれるトラック１周あたりのウォブル数は一定になるように決められている。光ディスクを再生するときには、上述のようにトラックに沿って光ビームを照射し、このトラックからの反射光を検出することで、反射光に反映された情報が再生される。このときこの反射光には、記録マークなどによる情報のほかにウォブル成分も含まれる。つまりこの反射光に含まれるウォブル成分を検出して、ウォブル信号として取り出すことができる。さらに、取り出されたウォブル信号から、スピンドルモータの回転制御信号と、データを記録する際に用いるクロック信号とを得ることができる。これによって、モータの回転変動に影響されず、正確な記録ができる。
【００３１】
　続いて、インデックスヘッダの詳細について説明する。
【００３２】
　この光ディスクのスパイラルトラックは高密度記録に適した、ランド及びグルーブの両方にデータが記録できるランド＆グルーブ記録方式となっている。例えば、インデックスヘッダから始まるスパイラルトラックを辿ると、一周分のグルーブトラックを通過した後、インデックスヘッダとダミー領域２０１を通過し、一周分のランドトラックを通過した後、再びインデックスヘッダとダミー領域２０１を通過し、一周分のグルーブトラックを通過する。つまり、光ディスクはスパイラルトラックに沿って光が走査したとき、トラック一周につき１度だけ、インデックスヘッダが現れるように、ランドトラックとグルーブトラックの切り変わり目の１ヵ所だけにインデックスヘッダがアラインされ、その隣にダミー領域２０１が配置されている。
【００３３】
　しかし、この発明はこれだけに限定されるものではない。例えばスパイラルトラックに沿って光ビームが走査したとき、トラック１周につき２度インデックスヘッダ１２が現れるように、インデックスヘッダ１２をディスク状の２ヵ所にアラインしてもよい。さらに、インデックスヘッダ１２をディスク上の３ヵ所以上にアラインするようにしてもよい。
【００３４】
　また、図８に示すように、インデックスヘッダ１２は、Ｈａヘッダ３０、Ｈｂヘッダ３１、Ｈｃヘッダ３２、Ｈｄヘッダ３３を備えている。Ｈａヘッダ３０はＰＬＬの同期をかけるための連続ピット列から成るＶＦＯ部、及びトラックアドレスが記録されたＨａ３５を備えている。同様に、Ｈｂヘッダ３１はＶＦＯ部及びＨｂ３６を備えている。同様に、Ｈｃヘッダ３２はＶＦＯ部及びＨｃ３７を備えている。同様に、Ｈｄヘッダ３３はＶＦＯ部及びＨｄ３８を備えている。Ｈａ３５、Ｈｂ３６、Ｈｃ３７、Ｈｄ３８には、夫々に、ＡＭ（アドレスマーク）、ＰＩＤ（物理ＩＤ）、ＩＥＤ（エラー検出）、及びＰＡＤ（パッド）などの情報が含まれている。ＶＦＯはどのトラックにも形成されるが、Ｈａ３５、Ｈｂ３６、Ｈｃ３７、Ｈｄ３８は例えば図４の様に交互に一トラックずつ飛ばして形成しても良い。このとき例えばＨａ３５、Ｈｂ３６を同一トラックに、Ｈｃ３７、Ｈｄ３８を隣のトラックに形成してもよい。これは、トラックピッチが再生用光ビームのスポット径に対し狭く形成された場合、そのために生じる隣接トラックからのクロストークを避けるためである。
【００３５】
　また、同一トラックにＨａ３５、Ｈｂ３６、Ｈｃ３７、Ｈｄ３８をすべて形成してもよい。各々のトラックに２つ以上のヘッダが形成されていれば、欠陥などで一つのヘッダが読めなくても、もう一つのヘッダを用いてトラックを確定することができる。また、本実施例ではヘッダを４個としたが、これに限定するものではない。
【００３６】
　続いて、ダミー領域２０１（インデックスヘッダ外側）の詳細について説明する。
【００３７】
　光ディスクは特徴として各記録層は、図２、図４に示すように、インデックスヘッダが照射光２２２の入射方向から見て重なり合うように積層されている。ただし、このインデックスヘッダの重なり合いは許容される精度の範囲内で図４に示すようにずれることが有る。
【００３８】
　ここで、インデックスヘッダの両側に配置されたダミー領域２０１について詳細を説明する。前述したように、一般に、記録膜が記録マーク（アモルファス状態）である場合と初期化領域（結晶化状態）で有る場合では透過率及び反射率が異なる。ここでは、第一記録層２１４はアモルファスの透過率が結晶化状態より高く、反射率が結晶化状態より低いとする。また、第一記録層２１４の情報記録領域の全面に情報が記録済みであるとする。ここで、第一記録層２１４を通過して、第二記録層２１５にアクセスする場合を考える。図２に示す光ディスクは、第一記録層２１４のインデックスヘッダ領域と第二記録層２１５のインデックスヘッダ領域が完全に重なっている場合、インデックスヘッダ領域には記録は行なわないので、第一記録層２１４のインデックスヘッダ領域で記録光強度が低下しても、第二記録層２１５が情報記録領域でないので、影響は小さい。また、第一記録層２１４のインデックスヘッダを再生光が通過している場合は、第二記録層２１５に到達する再生光強度も下がり、さらに第二記録層２１５からの反射率が増加して再生信号のオフセットが上昇するが、第一記録層２１４に形成されるデフォーカススポット２２３全体がインデックスヘッダ領域に入れば、際しえ信号レベルの過渡的な変動が無い。そのため、再生信号のオフセットゲインをコントロールすることなどにより、安定した再生を行なうことが可能となる。ただし、第二記録層２１５にアクセスしている場合、第一記録層２１４でのスポットは図２に示すようにデフォーカスしているので、情報記録領域のうち、区間２ａ２１８ではデフォーカススポット２２３の一部が第一記録層２１４のエンボスピットにかかるので、記録光強度が低下しており、安定した情報の記録ができない。また、区間２ａ２１８と区間２ｂ２１９では再生中に再生光強度が変動し、ゲインのコントロール等が難しいため安定した再生ができない。特に区間２ｂ２１９はインデックスヘッダであり常に安定して再生する必要がある。そこで、第一記録層２１４の区間１ａ２１６をダミー領域２０１として、インデックスヘッダと同じ透過率及び反射率にする。この結果、第二記録層２１５のインデックスヘッダを再生中は再生光強度を一定とすることができる。さらに、記録光強度の低下が起こる第二記録層２１５の区間２ｃ２２０をダミー領域２０１として、予めユーザー情報の記録禁止領域とする。この結果、第二記録層２１５の情報記録領域では記録光強度は低下しないことになる。
【００３９】
　さらに、図４に示すように、インデックスヘッダの重ね合わせがずれた場合について考える。第二記録層２１５のインデックスヘッダに対して、第一記録層２１４のインデックスヘッダが最大Ｘだけずれるとする。ずれが生じると、重ね合わせずれ区間では第二記録層２１５から見て、第一記録層２１４のこれまでインデックスヘッダであった部分が情報記録領域となって、インデックスヘッダであった場合より透過率が高くなってしまう。従ってこの区間だけダミー領域２０１を延長し、透過率をインデックスヘッダ領域と等しくする必要がある。また、重ね合わせのずれは前後どちらにもずれる可能性があるので、インデックスヘッダの両側に同じ長さのダミー領域２０１を配置する必要がある。さらに、第一記録層２１４のダミー領域２０１をこのように延長すると、第二記録層２１５ではこれまでより広い範囲で記録光強度の低下が起こることになる。従って図５に示すような記録光強度低下する可能性の有る範囲をダミー領域２０１としてユーザー情報の記録禁止とする。この結果、第二記録層２１５の情報記録領域では記録光強度は低下しないことになる。
【００４０】
　以上のことから、第二記録層２１５のインデックスヘッダを再生中の再生光強度を一定に保つためには第一記録層２１４のインデックスヘッダの両側に、（第二記録層２１５に焦点を合わせたときに第一記録層２１４に形成されるデフォーカススポット２２３の半分の幅）＋（重ね合わせの最大ずれ幅）の幅のダミー領域２０１を配置して、透過率をインデックスヘッダと等しくする必要がある。また、第二記録層２１５の記録領域で記録光強度の低下を引き起こさないために、第二記録層２１５のインデックスヘッダの両側に第一記録層２１４の２倍の幅のダミー領域２０１を配置して情報記録禁止領域とする必要がある。
【００４１】
　これまでは第一記録層２１４のインデックスヘッダの両側に同じ幅のダミー領域２０１を場合について説明したが、インデックスヘッダとダミー領域２０１の透過率及び反射率は等しいので、第一記録層２１４については、インデックスヘッダとダミー領域２０１を合わせた幅が等しければ、インデックスヘッダがこの中心にある必要は無い。すなわち、左右のダミー領域２０１の幅が異なってもかまわない。ただし、第二記録層２１５のインデックスヘッダは、第一記録層２１４の透過率が均一である必要があるので、両側のダミー領域２０１の幅は等しくする必要がある。
【００４２】
　また、再生ゲインをコントロールして、第一記録層２１４の透過率変化による再生光強度変化が起こっても、第二記録層２１５からの再生信号レベルが一定に保たれる光ディスク装置では、第一記録層２１４のダミー領域２０１は必要無くなる。このときは、記録光強度の変化に対応できるよう、第二記録層２１５に（第二記録層２１５に焦点を合わせたときに第一記録層２１４に形成されるデフォーカススポット２２３の半分の幅）＋（重ね合わせの最大ずれ幅）の幅のダミー領域２０１を配置し、この部分を情報記録禁止領域とすれば良い。
【００４３】
　また、第一記録層２１４と第二記録層２１５の情報記録領域の面積を等しくしたい場合には、第一記録層２１４に（第二記録層２１５に焦点を合わせたときに第一記録層２１４に形成されるデフォーカススポット２２３の半分の幅）＋（重ね合わせの最大ずれ幅）の幅の領域二ヵ所を情報記録領域でなくする必要があるが、この領域の透過率は情報記録領域と等しくする必要がある。
【００４４】
　次に、図６を用いてもう一つのダミー領域配置方法について説明する。図６に示すように、第一記録装置２１４には、図４と同様にダミー領域２０１を配置する。第二記録装置２１５はインデックスヘッダ１２とトラックが形成されている。ここで、第二記録層２１５に焦点を合わせたときの第二記録層２１５の再生和信号の変化を図６（ｂ）に示す。第一記録層２１４がトラック（記録フィールド）からエンボスピット（ダミー領域及びインデックスヘッダ）に移行すると、第一記録層２１４の透過率及び反射率が変化するので、第二記録層２１５の再生和信号のオフセットが変化する。すなわち区間３ａと領域区間３ｂは、同じトラックを再生しているにもかかわらず再生信号が変化している。そこで、このような第一記録層２１４の光学特性が記録フィールド１５と異なる範囲に対応した第二記録層２１５のトラックをダミー領域２０１とし、記録フィールド１５の書込みを禁止する。但し、同期信号の生成や反射率制御などのために、ここにユーザデータとは異なるＶＦＯなどの信号を記録するようにしてもよい。こうすれば、第二記録層２１５のダミー領域２０１を第一記録層２１４のダミー領域２０１と同程度に抑えることができる。但し、第二記録層２１５のインデックスヘッダ１２に対するダミー領域２０１の左右の幅は記録層の貼り合わせのすれによって変化する。
【００４５】
　従って、このディスクでは、リードインエリア２０３に第二記録層２１５のダミー領域２０１の位置を示す情報を書き込む領域を設ける。ディスクを一度再生したら、図６（ｂ）に示すような信号から第二記録層２１５のダミー領域２０１となる範囲を検出し、この情報をリードインエリア２０３に記録しておく。この情報は具体的には、インデックスヘッダ１２からのウォブル数や時間幅などである。この結果を基にして記録フィールド１５の位置を特定することができる。
【００４６】
　続いて、リードインエリア２０２とリードアウトエリア２０４について説明する。また、リードインエリアとリードアウトエリア２０４のダミー領域２０１について説明する。
【００４７】
　ＤＶＤ−ＲＡＭでは、リードインエリアは、半径位置２２．５９ｍｍから２４．１０１ｍｍまでとなっている。このうち、２２．５９ｍｍから２４．０００ｍｍまではエンボスピットとミラーが形成されており、残りの部分は書き換え可能領域となっている。リードアウトエリア２０４は５７．８８９ｍｍから５８．４９３ｍｍまでで、すべて書き換え可能領域となっている。リードインエリアのエンボス領域２０２にはＲｅｆｅｒｅｎｃｅ　ｃｏｄｅ及びＣｏｎｔｒｏｌ　ｄａｔａが記録されている。また、リードインエリアとリードアウトエリア２０４の書き換え可能領域には、ＤＭＡ、ｄｉｓｃ　ｉｄｅｎｔｉｆｉｃａｔｉｏｎ　ｚｏｎｅ，　Ｇｕａｒｄ　ｔｒａｃｋ　ｚｏｎｅ　，Ｄｒｉｖｅ　ｔｅｓｔ　ｚｏｎｅ，　Ｄｉｓｃ　ｔｅｓｔ　ｚｏｎｅが設けられている。本発明のディスクでは複数の記録層を有するので、図１に示すように、各記録層それぞれにリードインエリア及びリードアウトエリア２０４をもたせる。リードインエリアのエンボスピット及びミラー領域をＤＶＤ−ＲＡＭと同じ２２．５９ｍｍから２４．０００ｍｍとする。リードイン各記録層の貼り合わせのずれや、各記録層の偏心によって、第一記録層２１４と第二記録層２１５のエンボスピット及びミラー領域の重なりが、ずれることになる。このずれを考慮して、第一記録層２１４の２４．０００ｍｍから２４．０７０ｍｍまでをダミー領域２０１とする。さらに、２４．０７０ｍｍから２４．１０１ｍｍまでをリードインエリアの書き換え領域２０３とする。第二記録層２１５では、２４．０００ｍｍから２４．１４０ｍｍまでをダミー領域２０１、２４．１４０ｍｍから２４．１７０ｍｍをリードインエリアの書き換え領域２０３とする。この結果、リードインエリアのエンボスピット領域を安定して再生できる。また、各層の５７．８８９ｍｍから最外周までをリードアウトエリア２０４とする。このとき、リードアウトエリア２０４の外周側にもダミー領域２０１を配置してもよいが、このエリアにはエンボスピット領域がないので、再生光強度均一化のための第一記録層２１４のダミー領域２０１は必要ない。また、ディスク最外周の重なりがずれることも考えられるが、第二記録層２１５に必要となるダミー領域２０１は、ガードトラックゾーンで代用できる。
【００４８】
　さらに、この他の方法として、第一記録層の内周側にリードインエリア、第二記録層の内周側にリードアウトエリア２０４、各記録層の外周側にミドルエリアを配置することが考えられるが、この際にはリードインエリアのエンボス及びミラー領域での透過率低下の影響を受ける第二記録層の範囲をダミー領域として記録禁止とするか、ガードトラックゾーンとする。
【００４９】
　続いて、記録フィールドの詳細について説明する。
【００５０】
　次に、スパイラルトラックに配置するデータについて説明する。第一記録層２１４もしくは第二記録層２１５にデータを記録するときには、上記したスパイラルトラックに対し、データの書き換えが可能な記録フィールド１５が所定数記録される。また、図７及び図９に示すように、記録フィールド１５は、記録フィールド１５のアドレスデータを格納するヘッダーフィールド１９と、各種データを格納するデータフィールド２０とを備えている。この記録フィールド１５には、一つのＥＣＣブロック単位でデータが記録される。ＥＣＣブロックについては後述する。ヘッダーフィールド１９に対してフォーマッティングなどで一度アドレスが記録されると、再びフォーマッティングされない限り、ヘッダーフィールド１９に記録されたアドレスは書き換えられない。データフィールド２０はデータの書き換えが起こるたびに書き換えられる。
【００５１】
　ここで、トラック上に連続して記録フィールド１５が記録されると、図７に示すように、ある記録フィールド１５がインデックスヘッダ１２と交差する場合が生じる。つまり、所定のトラック長により形成される一つの記録フィールド１５が、インデックスヘッダ１２とダミー領域２０１を跨いで二つの記録フィールド１５に分断されることがある。この分断された二つの記録フィールド１５を、サブ記録フィールドａ１６、サブ記録フィールドｂ１７とする。
【００５２】
　上記したように、各記録フィールド１５は、自身のアドレスを格納するヘッダーフィールド１９、及び各種データを格納するデータフィールド２０を備えている。
【００５３】
　図１０に示すように、サブ記録フィールドａ１６及びサブ記録フィールドｂ１７は、両サブ記録フィールドの接続のための接続領域を備えている。サブ記録フィールドａ１６の接続領域には、例えば、ＰＡ（ポストアンブル）を配置する。このほか、ガード領域又はバッファ領域を配置するようにしてもよい。サブ記録フィールドｂ１７の接続領域には、例えばＰＳ（プリシンク）を配置する。このほか、ＧＡＰ、ガード領域、ＶＦＯ領域を配置するようにしてもよい。また、サブ記録フィールドａ１６の接続領域を記録フィールドのリアと同様の構成とし、サブ記録フィールドｂ１７の接続領域を記録フィールドのフロントと同様の構成とすれば、図１１に示すように、サブ記録フィールドａ１６及びサブ記録フィールドｂ１７も、ヘッダーフィールド１９及びサブデータフィールド４３を備えることになる。サブ記録フィールドａ１６のヘッダーフィールド１９と、サブ記録フィールドｂ１７のヘッダーフィールド１９とには、同一のアドレスデータを格納してデータ記録再生時の信頼性を向上させることができる。また、サブ記録フィールドａ１６及びサブ記録フィールドｂ１７に記録されるべく、１ＥＣＣブロックのデータは、サブ記録フィールドａ１６のサブデータフィールド４３と、サブ記録フィールドｂ１７のサブデータフィールド４５とに分割して記録される。
【００５４】
　続いて、記録フィールドの構成について説明する。
【００５５】
　図９は、記録フィールド１５の詳細を示す図である。ヘッダーフィールド１９は、２つのヘッダ、ヘッダａとヘッダｂ、及びミラー（Ｍｉｒｒｏｒ）部からなる。ヘッダはいずれも４６バイトで、具体的な構成はインデックスヘッダの各ヘッダと同じである。ミラー部はヘッダーフィールドとデータフィールドの境界を検出するために用いられる。ヘッダーフィールドは、一度記録されると、再フォーマッティングされない限り書き換えられない。一度ヘッダーフィールドが記録されると、記録フィールド１５のアドレスはこのヘッダから決定され、インデックスヘッダ及びウォブルは、補助的なアドレスデータとして利用される。
【００５６】
　データフィールド２０は、ＧＡＰ、Ｇｕａｒｄ１、ＶＦＯ、ＰＳ、データ、ＰＡ、Ｇｕａｒｄ２、Ｂｕｆｆｅｒからなる。ＧＡＰはレーザーの記録立ち上がりやパワー制御、及び記録位置のランダムシフトのために設けられている。Ｊは書換えごとに、０〜１５までのランダムな数値が入る。通常はＶＦＯと同じ信号が記録される。Ｇｕａｒｄ１は多数回記録したとき記録信号の先頭部に現れる劣化対策のためである。Ｋは０〜７までランダムな数値が入る。通常はＶＦＯと同じ信号が記録される。ＶＦＯはＰＬＬの同期用信号、ＰＳはプリシンク信号、データは１ＥＣＣブロックのデータである。ＥＣＣブロックの構成については後述する。ＰＡはポストアンブル、Ｇｕａｒｄ２は記録信号の後端に現れる劣化対策のためである。Ｋは０〜７までのランダムな数値で、Ｇｕａｒｄ１と同じＫの値が用いられる。通常はＶＦＯと同じ信号が記録される。Ｂｕｆｆｅｒは、偏心による記録フィールド１５の長さの違いやディスクの回転変動の吸収、および記録位置のランダムシフトのために用いられ、最悪でも２バイト以上の信号の記録されない領域を持つ。Ｊの値は０〜１５で、ＧＡＰのＪと同じ値が用いられる。
【００５７】
　続いて、フォーマットと実際の記録方法について説明する。また、光ディスクのスパイラルトラックに対し記録フィールドを記録する手順について述べる。
【００５８】
　一般に、データの記録を行う光ディスクではディスク作成後、初期化というアニーリングが行われ、記録膜は結晶化された状態となる。その後、ディスクの欠陥状態をチェックする検査、物理フォーマッティングがおこなわれる。この欠陥検査は例えば、ディスク全体に特定のデータを書き込み、エラーの状態を調べ、訂正不可能なエラーがある記録フィールド１５や一定以上のエラーの有る記録フィールド１５は、エラーの無い別の記録フィールド１５に置き換える処理である。この動作は、ディスクの欠陥検査とは言え、ディスクの全面を記録・再生するため、長い時間がかかり、ディスクのコストアップにつながる。
【００５９】
　そこで、大きな欠陥は、効率のよい別の方法（大きな光スポットを走査してチェック）でチェックし、データを書き込んでのチェックは、ディレクトリが作成されるエリアだけに限定したり、場合によってはまったくチェックしない場合もある。
【００６０】
　ＤＶＤ−ＲＡＭでは、一つの記録フィールド１５（１ＥＣＣブロック）が１６個の物理セクタに分割されて記録される。各々の物理セクタには、アドレスデータが形成されているので、任意の記録フィールド１５へデータの記録が可能である。欠陥管理を行わなければ、最初から、すべての物理アドレスが決まっているので、物理的なフォーマッティングを行わなくても任意の記録フィールド１５へのデータの記録が可能で、これが特徴の一つとなっている。
【００６１】
　一方、本発明の光ディスク１０には、インデックスヘッダ１２に、トラックアドレスデータが記録されているので、このインデックスヘッダ１２を読むことで、全てのトラックアドレスが決まる。一方、初期状態では記録フィールド１５は形成されていない。従って、記録フィールドのアドレスをもつヘッダーフィールドも記録されていない。しかし、すべての記録フィールド１５の配置は、インデックスヘッダ１２と記録トラックに形成されているウォブル数から決定できるので、インデックスヘッダ１２とウォブル信号を検出すれば、任意の記録フィールド１５へのデータの書き込みが可能となる。
【００６２】
　コンピュータのデータ記録用途向けには、一般に、ディスク全面にわたってデータを記録し、欠陥管理を行う。本発明の光ディスク１０では、このとき、記録フィールド１５全体の書き込み、すなわち、物理フォーマッティングが行われる。つまり、光ディスク全面にわたって、記録フィールド１５の記録が行われ、このときに、ヘッダーフィールド１９とデータフィールド２０が記録される。このとき、前述したようにインデックスヘッダ１２と交差するときは、２つのサブ記録フィールドに分割されて記録される。
【００６３】
　記録フィールド１５が、物理フォーマッティングなどで、最初に記録されるときは、図９に示した、ヘッダーフィールド１９のヘッダａからデータフィールド２０のＧｕａｒｄ２までが連続して記録される。２回目以降は、データフィールド２０のＧＡＰ部からＧｕａｒｄ２までが書き換えられる。実際には、ＧＡＰ部の途中からＶＦＯと同じ信号が記録され、Ｇｕａｒｄ２で終わる。したがって、記録フィールド１５には、少なくてもミラー部とＢｕｆｆｅｒ部に２バイト以上の信号の無い領域が存在することになる。
【００６４】
　続いて、ＤＶＤを参考にＥＣＣブロックについて説明する。
【００６５】
　図１２は、１７２バイト×１２行（２０６４バイト）からなるデータフレームの構造を示している。このデータフレームは、２０４８バイトの主データ、データフレームのＩＤを示す４バイトのデータＩＤ、データＩＤのエラー検出のための２バイトのＩＥＤ、予約となる６バイトのＲＳＶ、及び主データのエラー検出のための４バイトのＥＤＣからなる。この主データについては、連続した０や１が生じないようにスクランブル処理がされる。
【００６６】
　ＤＶＤ（ＲＯＭ及びＲＡＭ）の記録単位となるＥＣＣブロックは、主データがスクランブルされたデータフレーム１６個から構成され、図１２に示すように、１７２バイト×１９２行から成る。これに、エラー訂正符号として、各行には内符号ＰＩが１０バイト、各列には外符号ＰＯが１６行付加され、ＥＣＣブロック全体は、１８２バイト×２０８行で構成される。次に、ＥＣＣブロックは、ブロックエラーの訂正能力を高めるため、図１４に示すようにＰＯを１行含むインターリーブが施された１６個の記録フレームに分割される。
【００６７】
　次に、記録フレームの各行に対し、８−１６変調が施され、さらに、図１５に示すように９１バイトごとに２バイトのシンクバイトが付加される。その結果、記録フレームは、各行が９３バイトからなる２つのシンクフレームを持ち、全部で２６個のシンクフレーム（２４１８バイト）からなる。
【００６８】
　ＤＶＤ−ＲＯＭでは、この２６個のシンクフレームを１つの記録フレームとし、１６個の記録フレームを１つのＥＣＣブロック（３８６８８バイト）として、トラックに連続的に配置される。したがって、フォーマット効率は８４．７％となる。
【００６９】
　一方、ＤＶＤ−ＲＡＭでは、この２６個のシンクフレームを１つの物理セクタに記録する。各々の物理セクタは、図９と類似の構成をしており、１３０バイトのヘッダーフィールドと２５６７バイトの記録フィールド１５からなる。全体の長さは２６９７バイト（２９シンクフレーム）で、そのうちデータは２０４８バイトであるから、フォーマット効率は７５．９％である。
【００７０】
　なお、ＤＶＤ−ＲＡＭの各トラックは、各物理セクタのヘッダ部を除いて、ウォブルされたランド及びグルーブで形成されている。ウォブルの数は、１シンクフレームあたり８個である。一つのＥＣＣブロックは１６個の記録フレームからなるので、ＥＣＣブロックは４１６個のシンクフレームで構成される。
【００７１】
　本発明の実施例では、シンクフレーム、記録フレーム、ＥＣＣブロックサイズとして、ＤＶＤ−ＲＡＭと同じ値を用いているので、１シンクフレームは９３バイト、８ウォブルとなり、１記録フレームは２６シンクフレーム、１ＥＣＣブロックは４１６のシンクフレームで構成される。すでに説明したとおり、インデックスヘッダ１２は２シンクフレーム長である。
【００７２】
　記録フィールド１５は、図９で示すように、ヘッダーフィールド１９とデータフィールド２０からなり、全部で４２０シンクフレームからなる。このうち、１ＥＣＣブロック分のデータ部は、４１６シンクフレームである。このデータ部の前部をフロント、後部をリアと呼べば、１つの記録フィールド１５は、データ部と各々２シンクフレームからなるフロント及びリアからなる。
【００７３】
　図１１は、記録フィールド１５がインデックスヘッダ１２と交差したときのサブ記録フィールドの取り扱いを示す図である。インデックスヘッダの前側をサブ記録フィールドａ１６、後側をサブ記録フィールドｂ１７とすれば、各々のサブ記録フィールドはヘッダーフィールド１９、及びサブデータフィールド４３、４４から成る。サブ記録フィールドは、記録フィールド１５と同様データ部を除けば、各々２シンクフレームのフロント４０、及びリア４２から成るので、サブ記録フィールドａのデータａ４４は、Ｍシンクフレーム：１≦Ｍ≦４１５となる。そうすると、サブ記録フィールドｂ１７のデータ部４６は、（４１６−Ｍ）シンクフレームとなる。
【００７４】
　次に、本発明について具体的な数値を入れて説明を行う。使用する紫色レーザーの波長を４０５ｎｍ、対物レンズのＮＡを０．６６とし、光ディスクの直径を１２０ｍｍ、記録エリアをＤＶＤ−ＲＡＭと同じ２４．１ｍｍ〜５７．８９ｍｍとする。データの記録はＤＶＤ−ＲＡＭと同じＺＣＬＶ記録方式とする。ゾーン数は、ＤＶＤ−ＲＡＭのように物理セクタをアラインする必要が無いので、自由に設定できる。ここでは内周から外周に向けて連続書きこみを行っても、ゾーン間の記録クロックの変化を１％程度とするために、各記録層のゾーン数を１００とする。ただし、ここではディスクの内周側に設けられるリードインエリア、及び外周側に設けられるリードアウトエリア２０４については省略してある。
【００７５】
　図１６に各ゾーンにおけるトラックのレイアウトの一実施例を示す。トラックピッチを、隣接トラックとのクロスイレースを考慮して、０．３４８μｍとする。総トラック数は９７０００本となり、各ゾーンのトラック数は９７０本となる。一方、ＯＴＦなどを考慮し、ビット長を０．１５９μｍとする。また、収差などを考慮して記録層の間隔を２５μｍとすると、第二記録層２１５に焦点を合わせた際の、第一記録層２１４に形成されるデフォーカススポット２２３の直径は４μｍ程度となる。インデックスヘッダ重ね合わせのずれ量を円周方向で、最大±５０μｍとすると、第一記録層２１４に設けるインデックスヘッダの片側に設けるダミー領域２０１の幅はもっとも短くて片側５４μｍ、両側で１０８μｍとなる。第二記録層２１５の同様の箇所に設けるダミー領域２０１の幅はもっとも短くて片側１０８μｍ、両側２１８μｍとなる。ここで１シンクフレーム長は約１１８μｍなので、簡単にするため第一記録層２１４のダミー領域２０１を１シンクフレーム長、第二記録層２１５のダミー領域２０１を２シンクフレーム長とする。ただし、ダミー領域２０１の幅は必ずしもシンクフレーム長の整数倍である必要はない。
【００７６】
　ここで、最内周トラックを含むゾーン０の各トラックは一周あたり１１９３１９バイトで、１２８３シンクフレームである。このうち２シンクフレームはインデックスヘッダのものである。さらに、第一記録層２１４では１シンクフレーム、第二記録層２１５では２シンクフレームをダミー領域２０１とする。例えば第一記録層２１４では、残りの１２８０シンクフレームに記録フィールドを配置することになる。
【００７７】
　次に、図１７に第一記録層２１４ゾーン０のトラックと記録フィールドの関係を示す。トラック０に４２０シンクフレームからなる３つの記録フィールド１５を書きこむと、トラック０の余剰シンクフレーム数は２０となる。つまり、２０シンクフレームのサブ記録フィールドが発生する。この２０シンクフレームのサブ記録フィールドでは、フロント及びリアとして４シンクフレームが割り当てられ、データ部として１６シンクフレームが割り当てられる。次のトラック１では、４０４シンクフレームのサブ記録フィールドが発生する。この４０４シンクフレームのサブ記録フィールドでは、フロント及びリアとして４シンクフレームが割り当てられ、データ部として４００シンクフレームが割り当てられる。つまり、上記した２０シンクフレームのサブ記録フィールド及び４０４シンクフレームのサブ記録フィールドが図に示されたサブ記録フィールドａ及びｂに相当する。
【００７８】
　さらに、４０４シンクフレームのサブ記録フィールドに続けて、４２０シンクフレームの２つの記録フィールドを記録すると、余剰は３６シンクフレームとなる。つまり、３６シンクフレームのサブ記録フィールドが発生する。この３６シンクフレームのサブ記録フィールドでは、フロント及びリアとして４シンクフレームが割り当てられ、データとして３２シンクフレームが割り当てられる。次のトラック２では、３８８シンクフレームのサブ記録フィールドが発生する。この３８８シンクフレームのサブ記録フィールドでは、フロント及びリアとして４シンクフレームが割り当てられ、データ部として３８４シンクフレームが割り当てられる。
【００７９】
　これを続けて行けばゾーン０の記録フィールド、サブ記録フィールドの配置はすべて決まる。この処理を第二記録層２１５のゾーン９９まで続ければ、ディスク全体の記録フィールド及び、サブ記録フィールドの配置が一義的に決まる。フォーマット効率は第一記録層２１４で８３．６％、第二記録層２１５で８３．５％となる。この値はＤＶＤ−ＲＯＭの８４．７％に対し、約１％の低下であり、ＤＶＤ−ＲＡＭの７５．９％に比べ大幅に改善されていることが分かる。ここで、第一記録層２１４におけるインデックスヘッダの両側のダミー領域２０１は第一記録層２１４全体の０．１％、第二記録層２１５におけるインデックスヘッダの両側のダミー領域２０１は第二記録層２１５全体の０．２％を占めるのみである。
【００８０】
　次に、ダミー領域２０１に配置するデータについて説明する。第一記録層２１４のダミー領域２０１は、透過率をインデックスヘッダと等しくする必要があるので、インデックスヘッダと同じエンボスピット領域とすることが望ましい。エンボスピットで形成するデータは例えば、全て０を示すデータとすることやＶＦＯと同じデータとすることや、ランダムデータとすることが考えられる。
【００８１】
　第二記録層２１５のダミー領域２０１はユーザー情報の記録禁止領域とする必要がある。また、この領域では再生光強度が過渡的に変化する部分が有る。従って、この領域にはエンボスピットで形成する全て０のデータや、ＶＦＯと同じデータや、ランダムデータを記録することが考えられる。このほか、この部分を図６に示すようにグルーブトラックもしくは、ランドトラックとしてバッファ領域として利用しても良い。
【００８２】
　この他に、例えば既知のマーク長、マーク間隔を持つデータを配置しても良い。このデータを波形の適応等化、クロストークキャンセラーのトレーニングパターンとして利用することで、光ディスク再生時の波形等化の精度を高めることができる。適応等化を行う適応等化器にはトランスバーサルフィルターを使用する。このとき、トランスバーサルフィルターのタップゲインは、等化後の波形が正確に目標信号波形となるように、適応アルゴリズムによって順次校正され、最終的に等化誤差が零となるように所望の値に適応的に調整される。このとき、トレーニングパターンは既知なので、このパターンと適応等化後の再生信号パターンを比較することで正確に、効率良くタップゲインを収束させることができる。同様にクロストークキャンセラーにおいても例えば、波形等化器としてトランスバーサルフィルター用いる。トレーニングパターンを再生したときの等化後の再生波形と、トレーニングパターンから求められる理想的な再生波形を比較することで、トランスバーサルフィルターのタップゲインを精度良く、効率的に収束させることができる。例えばこのときのトレーニングパターンには３Ｔ、４Ｔ、及び５Ｔ以上のマークとマーク間隔を含む既知のランダムパターンや、３Ｔ、４Ｔ、５Ｔ、６Ｔ、…、１４Ｔと順次マーク長、マーク間隔を増やした階段状のパターンを用いる。
【００８３】
　また、既知のマーク長、マーク間隔を持つデータが配置されていることで、左右のトラックからの信号の漏れ込み量がわかるので、この結果を元にディスクのチルト量を測定することができる。このとき測定のためには、前述のようなランダムパターンや、階段状のパターンを配置しても良いし、トラック毎に周波数の違う信号を配置すれば、再生信号のスペクトルから、走査するトラックの信号振幅と、左右トラックの漏れ込み量の比を測定することができる。
【００８４】
　さらに、既知のマーク長、マーク間隔をもつデータを１トラック置きに配置する部分を設ける。このトラックを再生した場合、隣接トラックからのクロストークの影響をなくすことができるので、例えば上記の適応等化を精度良く行うことが可能となる。また、データの配置されたトラックに隣接したデータの無いトラックを再生すれば、再生信号に漏れこむ隣接トラックからの信号量を正確に測定できるので、隣接トラックからのクロストーク量が分かる。また、左右のクロストークの比からディスクのチルト量を求めることができる。さらに、既知のマーク長、マーク間隔をもつデータを２トラック置きに配置する部分を設け、データの無いトラックを再生すれば、片側のトラックからのクロストーク量を測定することができる。図１８と図１９に既知マーク及びマーク間隔をもつデータの配置の実施例を示す。図１８の配置では、例えばトラックＢを再生すれば、トラックＡ及びトラックＣに記録されたデータからの信号の漏れ込み量が測定できる。トラックＣではクロストークの影響を受けずに信号を再生することができる。トラックＦを再生すれば、トラックＥに記録されたデータからの信号の漏れ込み量を測定することができる。
【００８５】
　また、図１９のようにデータを交互に配置すれば、再生するトラックを換えなくても、図１８で説明した測定が可能となる。
【００８６】
　上記トレーニングパターン２３１のためのデータを配置することで、記録フィールド１５のフォーマット効率が低下することは無い。
【００８７】
　次に、光ディスク１０の製造方法の一例を示す。図２０に示すように光ディスクの各記録層の基板２１１は別々に形成される。原板２３４にレジスト膜２３３を塗布してこれに記録を行い、トラックとエンボスピットが形成されたレジスト膜２３３を形成する。次に、この原板２３４からスタンパ金型２３５を作成する。このスタンパ金型２３５によって樹脂を成形して、樹脂成形基板２３６を製造する。さらに、樹脂成形基板２３６上にスパッタ装置などを用いて複数の膜からなる記録層２３７を製膜する。最後に、二つの基板２１１を中間層２１２を挟んで向かい合わせで貼り合わせることで完成する。再生専用ディスクを作成する場合には、エンボスピットが形成された樹脂成形基板２３６を成形し、この樹脂成形基板２３６に対し奥側の層には反射膜、手前側の層のためには半透過膜を製膜する。最後に二つの記録層２３７を中間層２１２を挟んで向かい合わせで貼り合わせることで完成する。
【００８８】
　この貼り合わせの工程では、各層のインデックスヘッダ１２をディスク半径方向及び、円周方向に沿って適切な精度で重ね合わさるように各層を貼り合わせる必要がある。インデックスヘッダ１２は、それ以外の領域と異なる光学的特性をもっているので、これを目印としてインデックスヘッダが重なるように各記録層を重ね合わせることができる。このとき、図４に示すディスクでは、第一記録層のエンボスピット領域が第二記録層に完全に収まるように貼りあわせればよい。図６に示すディスクでは、第一記録層２１４のエンボスピット領域が第二記録層２１５に完全に収まるように貼りあわせる。このほか、光ディスクの各層は図２１に示すように貼り合わせの目印となるしるし２３８を、容量を損なわないように、光ディスクの最内周もしくは、最外周の通常情報の記録再生に用いられない領域に持たせてもよい。このしるし２３８は、各層同じ大きさの点でも良いし、また、どちらかの層の点をもう一方の点に比べ許容される重ね合わせ誤差分だけ大きい点にしても良い。図２２に示すように、貼り合わせの際には前者の場合、各層のしるし２３８が完全に重なるように光学センサーなどで観察しながら貼り合わせる。後者の場合、小さいほうのしるし２３８が、大きい方のしるし２３８に完全に収まるように貼り合わせる。この際、インデックスヘッダの円周方向重ね合わせの精度によって、インデックスヘッダの両側に必要となるダミー領域２０１の幅が変化する。半径方向の重ね合わせのずれについては、インデックスヘッダがディスク全体で半径方向にアラインされていることから、影響は少ない。リードインエリア、リードアウトエリア２０４周辺のダミー領域２０１の幅は、半径方向のずれを考慮する必要がある。
【００８９】
　次に、図２３を用いて、上述した光ディスク１０を駆動してデータの記録及び再生を行う光ディスク装置について説明する。
【００９０】
　光ディスク１０は、クランプ孔１１とクランパ１０１によって、スピンドルモータ１００に装着される。スピンドルモータ１００は、モータドライバー１８０によって駆動される。回転する光ディスク１０に対向して、光ヘッド１１０が、設けられており、この光ヘッド１１０から照射される光ビームにより光ディスク１０への記録及び再生が行われる。
【００９１】
　光ヘッド１１０は、対物レンズ１１１とこの対物レンズ１１１をフォーカス方向及びディスクの半径方向に動かすレンズアクチュエータ１１５と、記録及び再生のための光学系１１３と、紫色の半導体レーザーＬＤと、ディスクからの反射光から再生信号を抽出する複数分割フォトディテクタ１１４などを備えている。光ヘッド１１０全体は、ラジアル送りアクチュエータ１１５で、ディスク１０の半径方向に動かされる。
【００９２】
　半導体レーザーＬＤから照射された光は、光学系１１３を透過後、対物レンズ１１１で集光され、光ディスク１０の各記録層に任意にフォーカスされる。ディスクからの反射光は、対物レンズ１１１、ヘッド光学系１１３を逆に辿って、複数分割ディテクタ１１４へ入射する。複数分割ディテクタ１１４の中には、トラッキング誤差信号を検出する２分割のプッシュプルディテクタがあり、この２分割プッシュプルディテクタにより検出された信号を用いて、グルーブトラック１３へのトラッキングが行われる。ディテクタからのサーボ情報は、再生アンプ１２０、信号処理部１３０で処理され、制御部１５０で制御信号が作成されて、ＡＣＴドライバー１７０に供給される。
【００９３】
　ＲＦ再生信号は、読み取り用のディテクタにより受信される。ＲＦ再生信号を再生アンプ１２０で増幅した後、信号処理部１３０へ送る。このＲＦ再生信号には、ウォブル信号が重畳されており、ローパスフィルタを用いることで簡単に分離できる。また、データの再生信号は、このウォブル信号を通過させないハイパスフィルタを用いることで分離できる。
【００９４】
　検出されたウォブル信号は、１シンクフレームあたり８サイクルで、最内周のトラック０には、インデックスヘッダとダミー領域２０１を除きウォブルがある。スピンドルモータは、このウォブル信号を分周して作られる回転制御信号を用いて、回転数が制御される。このため、スピンドルモータの回転はディスクのウォブル信号と同期することになるから、データの記録の時に用意されるバッファーは少なくてもすむ。上記した回転制御信号は、制御部１５０において生成される。
【００９５】
　一方、記録のときに用いるクロック信号は、このウォブル信号を逓倍して用いる。つまり、ウォブル信号の周波数に基づき、記録クロック信号の周波数が決定される。８−１６変調の場合は、１ウォブル当たり１８６チャネルビットなので、クロック信号は１８６逓倍することになる。記録クロックをウォブル信号から作成することにより、データフィールド２０のバッファーの長さを短くできる。この記録クロックは制御部１５０において生成される。
【００９６】
　次に、図２４に再生専用装置の構成を示す。これは図１７の記録再生用装置から、記録用の制御装置、フォーマッタ、テスト記録用の要素を取り除いたものである。この装置では、再生専用ディスクだけでなく、記録フィールドが記録された後の記録再生用ディスクを再生することも可能である。
【００９７】
　次に、図２５のフローチャートを参照して、主にコンピュータ用途の場合の物理フォーマッティングについて説明する。すでに説明した通り、９７０００トラックが１００ゾーンに分割して配置され、さらに各ゾーンにおける各トラックは、複数の記録フィールド（サブ記録フィールドを含む）からなる。任意の記録フィールドの物理アドレスは、インデックスヘッダにエンボス記録されたトラックアドレスとインデックスヘッダを起点に始まるウォブルの数で決定される。
【００９８】
　まず、光ディスク１０を光ディスク装置に装着し、スピンドルモータ１００を回転させ（ＳＴ１１）、続いてフォーカス制御を行う（ＳＴ１１）。初めてフォーマットを行う際には、まず、第一記録層２１４にアクセスする。トラッキングをかけながら（ＳＴ１１）、光ヘッド１１０を内周側にあるリードインエリアに移動させる。さらに、信号処理部１３０でチルト量の検出を行い、この結果に基づきチルトＡＣＴを制御する。このとき制御部１５０はチルト制御部として機能する。この状態でウォブル信号が検出され（ＳＴ１２）、モータの回転がウォブル信号によって制御される（ＳＴ１３）。
【００９９】
　ディスクが挿入されてからの始めての記録であるので、物理フォーマッティングの前に記録ストラテジの最適化を行う。スポットがテスト記録領域に入ったら、制御部１５０はメモリ１５１に記憶されたテストパターンの情報から、テストデータを発生させ、テストパターンの記録を行う。続いて、記録したテストパターンの再生信号と、メモリ１５１に記憶されたテストパターンとを信号処理部１３０で統計的に比較判定処理することによって、最適な記録ストラテジを決定する。この結果は制御部１５０に記憶され、その後の記録制御に利用される。続いて、インターフェース１９０を介して、光ディスク装置に物理フォーマッティングの命令が出されると、インデックスヘッダにエンボス記録されたアドレスの読み取りを行い（ＳＴ１４）、第一記録層２１４のトラック０を探す。一方、フォーマッタは記録フィールド１５への書き込みを行う準備として、ヘッダーフィールド１９、データフィールド２０へ記録するデータを発生させる。トラック０のエンボス信号で形成されたインデックスヘッダ１２を検出すると、直ちに記録フィールド１５０への記録がスタートする。記録クロックは、ウォブル信号を逓倍したクロックが用いられ、フォーマッタから読み出された信号がＬＤドライバ１６０に入力され、光ディスク１０への記録が始まる（ＳＴ１５）。記録フィールド１５のアドレスがインクリメントされ、次々と記録フィールド１５が記録される。記録領域の最外周トラックの最後の記録フィールド１５を記録して、第一記録層２１４のフォーマット信号の書込みが完了する。
【０１００】
　続いて、第二記録層２１５にアクセスする。このとき、図２及び図４に示すディスクではあらかじめ第二記録層２１５のダミー領域２０１の配置が決まっているので、第一記録層２１４のときと同様にフォーマット信号を書込み、ディスクのフォーマットを完了する。
【０１０１】
　図６に示すような光ディスクではあらかじめ第二記録層２１５のダミー領域２０１の位置が決まっていないので、これを決定する必要がある。この場合、第二記録層２１５のダミー領域２０１は第一記録層２１４のインデックスヘッダ１２とダミー領域２０１のエンボスピットで起こる反射率変化及び透過率変化の範囲で決まる。そこで、第二記録層２１５のダミー領域２０１の範囲決定のために、第二記録層２１５をトラック一周分再生する。この再生信号は図６（ｂ）に示すように、第一記録層２１４のエンボスピット領域でオフセットをもつので、あらかじめ基準レベルを決めておき、そのレベルを超えて変化した領域を第二記録層２１５のダミー領域２０１の範囲とする。さらに、詳細に述べると、第二記録層２１５のインデックスヘッダ１２の端から始まり、再生信号が基準レベルを超えた状態から通常（第一記録層２１４がエンボスピットと異なる部分）の状態に戻った瞬間から、始めに記録信号の同期をとることが可能な位置までをダミー領域２０１とする。この位置から、記録フィールド１５の記録を開始し、シンクフレームを配置していくことになる。トラック一周毎に順番にシンクフレームを配置して、次に再生信号が基準レベルを超える手前で、シンクフレームをきり良く配置できるところまでを記録領域とし、そこからインデックスヘッダ１２までをダミー領域２０１とする。なお、ここでは記録信号の同期はウォブル１８の位相から決まる。以上の手順で決定したダミー領域２０１の範囲情報、具体的にはインデックスヘッダからのウォブル数や時間幅の情報を、情報記録再生装置のメモリもしくはディスクのリードインエリアの所定の位置に記録する。ダミー領域２０１の範囲が決定すれば、第二記録層２１５全体の記録フィールド１５の配置が決定するので、第一記録層２１４と同様にフォーマット信号を書込み、ディスクのフォーマットを完了する。ここで、ダミー領域２０１の範囲の決定は、すべてのトラックについて行なってもよいが、ゾーン毎に１回もしくはディスクの１箇所だけでもよい。フォーマッティング時に記録フィールド１５のデータフィールドへ記録されるデータは、光ディスクの欠陥を検査するためのデータであり、全ての記録フィールド１５に同じデータが記録される。この際、第一記録層２１４の記録領域全体に信号が記録されていることから、この領域の透過率は全体で均一であるので、第二記録層２１５に安定して記録を行うことが出きる。
【０１０２】
　物理フォーマット後は、記録した記録フィールド１５のヘッダ情報、及びデータフィールドのデータが正しく再現できるか、チェックを行う。いわゆる欠陥管理処理である。記録フィールド１５のヘッダーフィールドからデータが正しく読めない場合や、データフィールドから読み取られたデータのエラーが予め定めた基準より多い場合は、その記録フィールド１５は、欠陥処理のために準備された記録フィールド１５と置き換えられる。このとき、ディスクの所望のデータを再生する前に、調整領域に記録されたトレーニングパターン２３１を再生し、信号処理部１３０において適応等化器の最適タップゲインや、クロストークキャンセラーの最適タップゲインを決定する。さらに欠陥管理処理の途中に光スポットがトレーニングパターン２３１を横切った場合、最適タップゲインを再設定し直す場合もある。
【０１０３】
　このように、一般の光ディスクと同じように、ユーザーがデータを記録する前に、光ディスク全面にわたって物理的にフォーマットされ、欠陥検査が行われれば、その光ディスクの物理アドレスは全て決まっているのと同じになる。さらに、第一記録層２１４の透過率は情報記録領域前面で常に均一になる。このため、ユーザーが実際のデータを記録するときは、光ディスク装置は、記録フィールド１５のヘッダーフィールドのアドレスを見ればよい。インデックスヘッダおよびウォブル信号から求めたアドレスデータは、参考情報となる。
【０１０４】
　続いて、図２６に示すフローチャートを参照して、上記したように物理フォーマットされたディスクに対するユーザーデータの記録について説明する。
【０１０５】
　まず、光ディスク１０を光ディスク装置に装着し、スピンドルモータ１００を回転させ（ＳＴ２１）、続いて任意の記録層にフォーカス制御を行う（ＳＴ２１）。トラッキングをかけながら（ＳＴ２１）、光ヘッド１１０を内周側にあるリードインエリアに移動させる。さらに、信号処理部１３０でチルト量の検出を行い、この結果に基づきチルトＡＣＴを制御する。この状態でウォブル信号が検出され（ＳＴ２２）、モータの回転がウォブル信号によって制御される（ＳＴ２３）。続いて、記録フィールド１５内のヘッダーフィールドに記録されたアドレスの読み取りを行い（ＳＴ２４）、トレーニングパターン２３１の記録されている領域にアクセスする。そこで、トレーニングパターン２３１の再生を行い、適応等化器やクロストークキャンセラーのタップゲインを最適化する（ＳＴ２４）。次に、インターフェース１９０を介して、光ディスク装置にユーザーデータ記録の命令が出されると、目的の記録フィールド１５にアクセスし、ダミー領域２０１の範囲があらかじめきまっていれば、制御部１５０でウォブル信号から生成される記録クロックに基づきユーザーデータが記録される（ＳＴ２５）。また、記録の途中トレーニングパターン２３１を通過した場合は、逐次適応等化器とクロストークキャンセラーのタップゲインの再決定、チルト量の検出を行う場合もある。
【０１０６】
　さらに詳述すると、物理フォーマット後の記録フィールド１５へのデータの記録は、インターフェース１９０を介して受け取った記録データから、記録すべき記録フィールド１５のアドレスとデータフィールドに記録すべきデータ情報の配列を決定する。次に、そのアドレスと一致する記録フィールド１５を探し、見つかったらデータフィールドへの書き込みを行う。記録フィールド１５がインデックスヘッダと交差するときは、サブ記録フィールドに分割して書き込みを行う。記録フィールド１５のフォーマッティング情報は、フォーマッタに蓄積されており、論理アドレスを指定することで、ディスク上の物理的な状態を決定できる。これらは全て制御部１５０で処理される。
【０１０７】
　ただし、光ディスクの全面をフォーマットし、欠陥のチェックを行うと多大な時間がかかる。メーカが行えばその分コストアップになるし、ユーザーが行えば使えるようになるまでに時間がかかりすぎるなどの問題がある。また、用途によっては、全面にわたって欠陥検査をする必要がない場合も有る。本発明では、このような場合でも、任意の位置にランダムにデータの書き込みができ、しかも映像などの連続データでもシームレスに記録することが可能である。
【０１０８】
　ファイルのディレクトリが記録される一部分のみフォーマットし、一般のデータのかかれていないところはフォーマットされていないとする。データはフォーマットされていない領域への記録となるが、制御部１５０（フォーマッタ）には、インデックスヘッダとウォブル数で決定されるアドレス空間がある。フォーマットされているエリアへの書き込みは記録フィールド１５のデータフィールドのみを記録し、フォーマットされていない記録フィールド１５への記録は、ヘッダーフィールド及びデータフィールドを一括して記録する。
【０１０９】
　物理フォーマットされていない場合は、制御部１５０（フォーマッタ）に有るアドレス空間を用いて、記録フィールド１５のヘッダーフィールド及びデータフィールドの両方を記録する。勿論、データフィールドのデータ部には、インターフェースが受け取ったデータが記録される。
【０１１０】
　このとき、第一記録層２１４の情報記録領域全体に情報を記録した後に、第二記録層２１５に情報を記録するようにすれば、第一記録層２１４の情報記録領域の透過率が均一なので、第二記録層２１５に安定して記録を行える。
【０１１１】
　次に図２７に示すフローチャートを参照して、光ディスク１０に記録されたデータの再生処理について説明する。
【０１１２】
　まず、光ディスク１０を光ディスク装置に装着し、スピンドルモータ１００を回転させ（ＳＴ３１）、続いてフォーカス制御を行う（ＳＴ３１）。トラッキングをかけながら（ＳＴ３１）、光ヘッド１１０を内周側にあるリードインエリアに移動させる。さらに、チルトＡＣＴを制御する。この状態でウォブル信号が検出され（ＳＴ３２）、モータの回転がウォブル信号によって制御される（ＳＴ３３）。続いて、インターフェース１９０を介して、光ディスク装置にユーザーデータ再生の命令が出されると、記録フィールド１５のヘッダーフィールドに記録されたアドレスの読み取りを行い（ＳＴ３４）、目的の記録フィールド１５にアクセスする。このとき、光スポットがトレーニングパターン２３１を横切った際には、適応等化器やクロストークキャンセラーのタップゲインを最適化する（ＳＴ３４）。目的の記録フィールド１５のデータフィールドに記録されたユーザーデータは、制御部１５０でウォブル信号から生成される再生クロックに基づき再生される（ＳＴ３５）。具体的には、再生手段としての光ヘッド１１０、再生アンプ１２０、信号処理１３０、及びデータ処理１４０、などが光ディスク１０に記録されたデータを再生する。
【０１１３】
　本実施例では、ランド＆グルーブ記録方式で説明を行っていきたが、グルーブ記録であっても同じように適用できる。
【０１１４】
　また、本実施例ではシングルスパイラルで説明を行ったが、ダブルスパイラルとしても良い。
【０１１５】
　さらに、本発明は書き換えのできる場合で説明したが、ライトワンス系の１回しか記録できない媒体にも全く同じように適用できる。
【０１１６】
　さらに、本発明はＺＣＬＶ方式で説明してきたが、本発明はゾーンの数を自由に選べるので、ゾーン数をトラック数と同じにすることもできる。すなわちＣＬＶ方式にも適用できる。
【０１１７】
　さらに、本発明は書換え可能な光ディスクについて説明をしてきたが、これとの互換性から、エンボスピットで形成するＲＯＭ型の光ディスクについて、本発明と全く同じもしくはほとんど同じフォーマットを適用することが可能である。
【０１１８】
　本発明の実施例では、データの記録単位として、ＤＶＤで用いているＥＣＣブロック（３２ｋバイト：４１６シンクフレーム）を用いた。高密度化した場合、さらにＥＣＣを強化する必要が生じ、一般に、ＥＣＣブロックサイズが大きくなる。ＥＣＣブロックサイズが６４ｋバイトになれば、当然、記録フィールド１５も大きくなり、データ部に比べ、それ以外は相対的に小さくなる。従って、フォーマット効率はさらに上がることになる。
【０１１９】
　また、本発明の実施例では、記録フィールド１５のフロントとリアに、合わせて４シンクフレームを用いたが、これに限定されるものではない。
【０１２０】
　また、本発明の実施例ではインデックスヘッダを２シンクフレームとし、ヘッダを４つ配置したが、これに限定されるものではない。
【０１２１】
　また、本発明の実施例では記録層を二層にしたが、二層以上の多層ディスクであっても良い。
【０１２２】
　また、本発明の実施例では結晶とアモルファスの状態で透過率及び反射率が異なるとして説明したが、この透過率及び反射率が等しい場合でも、エンボスとグルーブでは光の散乱、回折の影響が異なるので、本発明の効果は有効である。
【０１２３】
　本発明では、光ディスクは複数の記録層をもち、片側の面から光ビームを入射して、選択した目的の記録層に対して情報の記録再生を行うことができる。各記録層では１周に１ヵ所、エンボスピットで形成されたインデックスヘッダ１２とウォブルで、記録フィールド１５の物理アドレスが決定される。また、このインデックは半径方向でアラインされている。各記録層はそれぞれのインデックスヘッダ１２が光の入射方向から見て重なるように貼り合わされている。また、インデックスヘッダ１２や、リードインエリアのエンボスピット領域２０２の周辺にはダミー領域２０１が配置されており、透過率及び反射率の調整が行われている。したがって、本発明によれば、エンボスピット領域と、それ以外の領域の間での記録層の透過率及び反射率の変化があっても問題なく各記録層において情報の記録再生が行える。さらに、インデックスヘッダとウォブルから決定されるアドレス空間、もしくは記録フィールドのアドレスデータによって、各記録フィールドにランダムにアクセスすることができる。また、ゾーンの切り替わり（ゾーン跨ぎ）による周波数の切り替わり（周波数跳び）が無視できる範囲に収まっているので、長く連続した情報であっても、シームレスに記録することができる。
【０１２４】
　また、ダミー領域２０１に既知マーク長、マーク間隔のデータを配置することで、より高精度な適応等化、クロストークキャンセル、チルト量測定を行うことができる。このように本発明によれば、記録フィールド１５に余分なデータを配置しないでも、適応等化、クロストークキャンセルの最適化、チルト量測定が行えるので、記録密度を上げても、高精度で信頼性の高い記録及び再生が可能なディスクを、フォーマット効率を落とさずに提供することができる。また、このような光ディスクに対してデータを記録したり再生したりする光ディスク装置、光ディスク記録方法、及び光ディスク再生方法を提供することができる。
【０１２５】
　本発明のフォーマット効率は約８３．５％で、ＤＶＤ−ＲＡＭの７５．９％に比べ大幅に改善された。書き換えの不要なＤＶＤ−ＲＯＭのフォーマット効率が８４．７％であるから、本発明を用いることでＤＶＤ−ＲＯＭに比べてわずか１％のフォーマット効率ロスで、上記光ディスクを提供でき、その実用的な効果はきわめて高い。
【０１２６】
　以下に、この発明の作用効果をまとめる。
【０１２７】
　この発明の情報記録媒体では、インデックスヘッダがディスク全体で半径方向にアラインされているので、インデックスヘッダの隣のトラックが記録フィールドにならないので、記録フィールドの記録再生の安定性が保たれる。
【０１２８】
　また、スパイラルトラックのウォブル周波数を基準にして、情報記録媒体の回転数、及び記録するときのクロック周波数が決定され、ウォブル信号から再生信号の同期が採れることから、記録フィールドに設けられる偏心や回転変動を吸収するためのバッファーを従来のものに比べて短くすることができる。
【０１２９】
　また、ディスクを物理フォーマットしないで初めてデータを記録する場合、物理トラックのアドレスデータは１周に１ヵ所配置されたインデックスヘッダから読み出される。１周内の物理的な位置は、インデックスヘッダから、ウォブルを数えることにより正確に決まる。従って、ディスクを物理フォーマットしないでも所望の位置にランダムにデータを記録することができる。
【０１３０】
　また、ディスクのゾーン分割の幅をセクタと無関係に決定できるので、分割の幅を従来のものに比べて狭くするか、ゾーン分割を行わなければ、ゾーンを跨ぐときに発生するクロック周波数飛びが無視できるほど小さくなるので、連続情報のシームレスな記録が可能となる。
【０１３１】
　また、トラック１周に１ヵ所しかエンボスピットの領域が無いので、手前の記録層を通して、奥の記録層に照射光が集光されている場合、手前の層の透過率及び反射率の変化によって奥の記録層での信号の記録再生が不安定になる領域が少ない。
【０１３２】
　さらに、この発明の情報記録媒体は、各記録層の前記インデックスヘッダを照射光の入射面から見て重なり合うように配置したことで、手前の記録層を通して、奥の記録層に照射光が集光されている場合、手前の記録層のインデックスヘッダで透過率及び反射率の変化が起こっても、その部分がほとんどの場合、追記、もしくは書き換え領域ではないので、追記、もしくは書き換え領域のほぼ全域で情報の安定した記録再生が可能になる。また、前記インデックスヘッダがディスク全体で半径方向にアラインされているので、前記インデックスヘッダを重ね合わせ易い。
【０１３３】
　さらに、この発明の情報記録媒体は前記ダミー領域を備え、ダミー領域の透過率が、その記録層におけるインデックスヘッダもしくはその他のエンボスピット領域の透過率と等しいので、手前の記録層を通して、奥の記録層に照射光が集光されており、奥の層のインデックスヘッダもしくはその他のエンボスピット領域を再生している間、手前の層の透過率変化が一定に保たれる。
【０１３４】
　さらに、この発明の情報記録媒体は前記ダミー領域を追記、もしくは書き換え禁止領域としているので、ダミー領域において追記、もしくは書き換えによって透過率変化が発生することが無い。従って、ディスクの偏心や各層のインデックスヘッダの重ね合わせのずれがあっても、追記もしくは、書き換え領域の全域で情報の安定した記録再生が可能になる。
【０１３５】
　さらに、この発明の情報記録媒体は前記ダミー領域に既知の配列のエンボスピットマークを備えている。このエンボスピットマークを、波形等化やクロストークキャンセラー、チルト量検出のためのトレーニングパターンとして利用することで、記録フィールドにおけるフォーマット効率の低下を引き起こすことなく、より高精度な情報の記録再生が実現できる。前記ダミー領域はディスク半径方向に全体に分布しているので、ディスク半径の違いによるによるチルト量の違いや、波形等化条件の違いが有る場合でもそれぞれの半径でチルト量の測定を行うことや、波形等化条件の最適化を行うことができる。また、前記ダミー領域はリードイン、リードアウトエリアの周辺か、インデックスヘッダの直前か直後にあるので、物理的な位置はディスクを物理フォーマットしない状態でも定まるので、前記ダミー領域に配置した情報の検索が容易であり、さらに、連続した記録の妨げにならない。
【０１３６】
　さらに、この発明の情報記録媒体は、各記録層の情報の記録再生には使わない部分に貼り合わせの目印となるしるしをもっているので、これを目標にすることでインデックスヘッダが重なるように貼り合わせることができる。
【０１３７】
　従って、この発明によれば、積層された複数の記録層を有し、片側の面から光を入射して、選択した記録層に対して情報の記録再生を行う光記録媒体において、ディスクの追記もしくは、書き換え領域全面で安定した記録再生を行うことが可能であり、光ディスク全面で連続したデータでもランダムデータでも無駄なく記録することができる。また、記録フィールドのフォーマット効率を低下させること無く、トレーニングパターンをディスクの半径方向全体に配置することができる。
【０１３８】
　さらに、高フォーマット効率であり、ゾーン跨ぎのクロック周波数ジャンプが小さい、もしくは無いことから、追記、もしくは書き換え領域の変わりに再生専用のデータを設ければ、本フォーマットは再生専用ディスクのフォーマットとしても用いることが出きる。
【０１３９】
　なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【０１４０】
【図１】本発明の情報記録媒体の一例に係る光ディスクを示す図であり、特にこの光ディスクに設けられたスパイラルトラック、インデックスヘッダ及びダミー領域を示す図である。
【図２】ダミー領域を配置しない場合の光ディスクの、インデックスヘッダを含むトラックに沿って切断した断面図である。
【図３】図２に示す断面においてトラックに沿って照射光を走査した場合の第一記録層の光の透過率変化を示す図である。
【図４】図１に示す光ディスクの、インデックスヘッダを含むトラックに沿って切断した断面図であり、ダミー領域の配置の一例を示す図である。
【図５】図４に示す断面においてトラックに沿って照射光を走査した場合の第一記録層の透過率変化を示す図である。
【図６】ダミー領域の配置の一例を示す図である。
【図７】図１に示す光ディスクに設けられたスパイラルトラック、インデックスヘッダ及びダミー領域を拡大表示するとともに、スパイラルトラックに記録される記録フィールド及びサブ記録フィールドなどを示す図である。
【図８】図１に示す光ディスクに設けられたインデックスヘッダのデータ構造を示す図である。
【図９】図１に示す光ディスクに設けられたスパイラルトラックに記録される記録フィールドとサブ記録フィールドに対して記録されるＥＣＣブロックを構成するデータフレームのデータ構造を示す図である。
【図１０】図１に示す光ディスクに設けられたスパイラルトラックに記録された記録フィールド及びサブ記録フィールドとの関係を示すとともに、サブ記録フィールドのデータ構造（接続領域有り）を示す図である。
【図１１】図１に示す光ディスクに設けられたスパイラルトラックに記録された記録フィールド及びサブ記録フィールドとの関係を示すとともに、サブ記録フィールドのデータ構造（接続領域無し）を示す図である。
【図１２】図１に示す光ディスクに設けられたスパイラルトラックに記録された記録フィールド及びサブ記録フィールドに対して記録されるＥＣＣブロックを構成するデータフレームのデータ構造を示す図である。
【図１３】図１に示す光ディスクに設けられたスパイラルトラックに記録された記録フィールド及びサブ記録フィールドに対して記録されるＥＣＣブロックのデータ構造を示す図である。
【図１４】図１に示す光ディスクに設けられたスパイラルトラックに記録された記録フィールド及びサブ記録フィールドに対して記録されるＥＣＣブロックのインターリーブ後のデータ構造を示す図である。
【図１５】シンク符号（２バイト）が付加された後の記録フレームのデータ構造を示す図である。
【図１６】図１に示す光ディスクに規定される各ゾーンにおける各種パラメータを示す図である。
【図１７】ゾーン０の各トラック上に記録された各記録フィールドを示す図である。
【図１８】ダミー領域に配置するトレーニングパターンの配置方法の一例を示す図である。
【図１９】調整領域に配置するトレーニングパターンの配置方法の一例を示す図である。
【図２０】本発明の光ディスクの製作方法の一例を示す図である。
【図２１】本発明の光ディスクの設ける貼り合わせのための目印の一例を示す図である。
【図２２】本発明の光ディスクを製作する過程である貼り合わせ工程における、図２１に示すしるしの使用法を示す図である。
【図２３】本発明の情報記録装置及び情報再生装置の一例に係る光ディスク駆動装置の概略を示す図である。
【図２４】本発明の情報再生専用装置の一例に係る光ディスク駆動装置の概略を示す図である。
【図２５】図１に示す光ディスクを物理フォーマットするときに生じるデータ記録処理（記録フィールドの記録）を示すフローチャートである。
【図２６】物理フォーマットされた光ディスクに対してユーザーデータを記録する記録処理を示すフローチャートである。
【図２７】ユーザーデータが記録された光ディスクからユーザーデータを再生する再生処理を示すフローチャートである。
【符号の説明】
【０１４１】
１０…光ディスク
１１…クランプ孔
１２…インデックスヘッダ
１３…グルーブトラック
１４…ランドトラック
１５…記録フィールド
１６…サブ記録フィールドａ
１７…サブ記録フィールドｂ
１８…ウォブル信号
１９…ヘッダーフィールド
２０…データフィールド
３０…Ｈａヘッダ
３１…Ｈｂヘッダ
３２…Ｈｃヘッダ
３３…Ｈｄヘッダ
３４…ＶＦＯ
３５…Ｈａ
３６…Ｈｂ
３７…Ｈｃ
３８…Ｈｄ
４０…フロント
４１…ＤＡＴＡ
４２…リア
４３…サブデータフィールド
４４…ＤＡＴＡａ
４５…サブデータフィールド
４６…ＤＡＴＡｂ
１００…スピンドルモータ
１０１…クランパ
１１０…光ヘッド
１１１…対物レンズ
１１２…集光ビーム
１１３…光学系
１１４…ＬＤ／ＰＤ
１１５…Ｆ／Ｔ／Ｒ−ＡＣＴ
１２０…再生アンプ
１３０…信号処理
１４０…データ処理
１５０…フォーマッタ／記録制御／サーボ制御
１６０…ＬＤドライバ
１７０…ＡＣＴドライバー
１８０…モータドライバー
１９０…インターフェース　
２０１…ダミー領域
２０２…リードインエリア（エンボス領域）
２０３…リードインエリア（書き換え領域）
２０４…リードアウトエリア
２１１…基板
２１２…中間層
２１３…
２１４…第一記録層
２１５…第二記録層
２１６…区間１ａ
２１７…区間１ｂ
２１８…区間２ａ
２１９…区間２ｂ
２２０…区間２ｃ
２２１…エンボスピット
２２２…照射光
２２３…デフォーカススポット
２３１…トレーニングパターン
２３２…トラック
２３３…レジスト膜
２３４…原板
２３５…スタンパ金型
２３６…樹脂成形基板
２３７…記録層
２３８…しるし
【図１】
2004006050.tif 000003
【図２】
2004006050.tif 000004
【図３】
2004006050.tif 000005
【図４】
2004006050.tif 000006
【図５】
2004006050.tif 000007
【図６】
2004006050.tif 000008
【図７】
2004006050.tif 000009
【図８】
2004006050.tif 000010
【図９】
2004006050.tif 000011
【図１０】
2004006050.tif 000012
【図１１】
2004006050.tif 000013
【図１２】
2004006050.tif 000014
【図１３】
2004006050.tif 000015
【図１４】
2004006050.tif 000016
【図１５】
2004006050.tif 000017
【図１６】
2004006050.tif 000018
【図１７】
2004006050.tif 000019
【図１８】
2004006050.tif 000020
【図１９】
2004006050.tif 000021
【図２０】
2004006050.tif 000022
【図２１】
2004006050.tif 000023
【図２２】
2004006050.tif 000024
【図２３】
2004006050.tif 000025
【図２４】
2004006050.tif 000026
【図２５】
2004006050.tif 000027
【図２６】
2004006050.tif 000028
【図２７】
2004006050.tif 000029